【手続補正書】
【提出日】平成20年3月25日(2008.3.25)
【手続補正１】
【補正対象書類名】特許請求の範囲
【補正対象項目名】全文
【補正方法】変更
【補正の内容】
【特許請求の範囲】
【請求項１】
生医学的適用で使用するための電気信号を生成する装置であって、前記装置は、
（ａ）１つ以上の第２中間出力を発生する（ｂ）第２周波数発生器に接続され、それにより（ｂ）第２周波数発生器を制御する第１中間出力を発生する第１周波数発生器を備え、前記第２中間出力は、前記第２中間出力を改変し、１つ以上の第３中間出力を生成する、（ｃ）１つ以上の能動または受動の電気部品に接続され、
前記第３中間出力は、１つ以上の第４中間出力を生成する１つ以上のロジックレベルドライバに接続され、それによりこれらを制御し、
前記第４中間出力は、最終出力を生成する出力フィルタに接続され、
前記最終出力は、前記電気信号を構成し、
前記電気信号は、
２００マイクロ秒〜１２０秒の範囲の期間をそれぞれ有する繰り返し１次サイクルを連続して形成する、５０マイクロ秒〜３０秒の範囲の期間をそれぞれ有する、少なくとも４つの比較的長い１次タイミングインターバルＴ1、Ｔ2、Ｔ3、Ｔ4、および、もしあればその他において整列される実質的に一定の電圧または電流レベルＬ1、Ｌ2などの複数のパルスと、
少なくとも２つの比較的短い２次タイミングインターバルｔ1、ｔ2などであって、２次タイミングインターバルのそれぞれは２．５５マイクロ秒〜５０マイクロ秒の範囲の期間をそれぞれ有し、前記１次タイミングインターバルのうちの少なくとも１つが分割されてなり、該２次タイミングインターバルはその長さを通して５マイクロ秒〜５０ミリ秒の範囲の期間をそれぞれ有する繰り返し２次サイクルを連続して形成し、一方、前記１次タイミングインターバルのうちの少なくとも１つの他の１次タイミングインターバルは分割されない、少なくとも２つの比較的短い２次タイミングインターバルｔ1、ｔ2などと、
分割された前記１次タイミングインターバル内の前記２次タイミングインターバルのそれぞれの間、または、分割されない場合に前記１次タイミングインターバルの全体の間での前記電圧または電流レベルの１つであって、前記レベルは、前記１次サイクルの過程を通して連続して選択され、それによって、前記電気信号が形成される、前記電圧または電流レベルの１つと、
前記１次サイクルの任意の１つの繰り返しの過程を通して実質的な電荷平衡を確立するための、１つまたは複数の等化パルスとしての、分割されていない前記１次タイミングインターバルの１つまたは複数
を含み、
ここで、前記１次および２次タイミングインターバルの選択およびそれぞれのタイミングインターバル内での前記電圧または電流レベルの選択によって、前記電気信号が、時間と共に変わる振幅を有する、特定の明確な数学的関数をエミュレートし、
前記生医学的適用は、苦痛の解放、組織成長の刺激、組織治癒の促進、骨成長の刺激、骨治癒の促進、骨治癒の改善、骨密度の改善、組織炎症の減少、組織損傷の修復、組織膨脹の減少、組織移植片生存の促進、血流の改変、生化学的生産の強化、組織の生化学的生産の強化、器官の再活性化、関節修復の強化、関節置換の強化、血液貯蔵の強化、および神経学的症状の改善を含む、装置。
【請求項２】
前記１次中間出力を前記第２周波数発生器に接続するシーケンシャルスイッチをさらに備える、請求項１に記載の装置。
【請求項３】
前記２次中間出力を能動的または受動的である前記１つ又は複数の電気部品に接続する１つまたは複数のスイッチをさらに備える、請求項１に記載の装置。
【請求項４】
前記装置が、外傷、外科手術、神経過敏、筋痙攣、捕捉された神経、圧迫された神経、糖尿病性神経障害、末梢神経障害、自立神経障害、末梢血管疾患、足底筋膜炎、腰痛、膝蓋大腿疼痛の１つ以上に起因する、疼痛を解放するため、感覚を改善するため、または神経機能を改善するために使用され得る、請求項１に記載の装置。
【請求項５】
発生した電気信号が、ゼロインターバル（８０）、続いて、複数の高周波数インターバル（８２ａ）、（８２ｂ）、（８２ｃ）、および少なくとも１つの分割されないインターバル（８４）を含む少なくとも５つの１次タイミングインターバルを含む波形を含む、請求項１に記載の装置。
【請求項６】
前記装置のユーザーが、発生する前記電気信号の１つを選択し得る、請求項５に記載の装置。
【請求項７】
（ａ）任意所与の１次タイミングインターバル内の前記電気信号は、Ａ．Ｃ．振幅およびＤ．Ｃ．振幅の両方を有し、そのいずれかはゼロであってもよく、
（ｂ）前記１次タイミングインターバル内の前記Ａ．Ｃ．振幅は、ゼロでない場合、前記２次タイミングサイクルの存在から生じる請求項１に記載の装置。
【請求項８】
（ｂ）前記Ａ．Ｃ．振幅は、前記１次タイミングインターバルの少なくとも１つの１次タイミングインターバルにおいてゼロの振幅を有し、
（ｃ）前記Ａ．Ｃ．振幅は、前記１次タイミングインターバルの少なくとも１つの他の１次タイミングインターバルにおいて非ゼロ振幅を有する請求項７に記載の装置。
【請求項９】
（ａ）第１の前記１次タイミングインターバルＴ1は、該１次タイミングインターバルＴ1の長さを通して単一電圧または電流レベルＬ1が選択されており、ゼロＡ．Ｃ．振幅をもたらし、
（ｂ）第２の前記１次タイミングインターバルＴ2は、前記２次インターバルｔ1、ｔ2などに分割され、１次インターバルＴ2の長さを通して前記２次サイクルを形成し、前記２次サイクルは、前記１次インターバル内で複数の完全な繰り返しを行い、レベルＬ1、Ｌ2などの１つは、２次インターバルｔ1、ｔ2などのそれぞれについて選択され、非ゼロＡ．Ｃ．振幅をもたらし、
（ｃ）第３の前記１次タイミングインターバルＴ3、
（ｄ）第４の前記１次タイミングインターバルＴ4、およびもしあれば、それぞれの前記１次タイミングインターバルＴ5、Ｔ6などは、前記１次タイミングインターバルＴ1のように単一で一定の電圧または電流レベルを含んでもよいし、前記１次タイミングインタ
ーバルＴ2のように再分割されてもよく、
（ｅ）前記２次インターバルまたは未分割の１次インターバルはそれぞれ、前記１次サイクル内で、Ｌ1、Ｌ2などの中からの、独自に割り当てられた電圧または電流レベルを有し、前記電圧または電流レベルは、前記インターバルが再び起こる時に常に選択され、したがって、
（ｆ）前記電気信号は、前記１次サイクルの任意の２つの繰り返しの間で実質的に同じである請求項８に記載の装置。
【請求項１０】
前記実質的に一定の電圧または電流レベルＬ1、Ｌ2などは、＋１０．０〜−１０．０ミリアンペアの範囲にある一定電流レベルの形態をとる請求項９に記載の装置。
【請求項１１】
前記１次サイクルは、関係
２ＴA≦ＴB≦２０ＴA
を有する、２つの最も長い１次タイミングインターバルＴAおよびＴBを含み、ＴBは最も長い１次インターバルであり、ＴAは２番目に長く、それによって、６６％〜９５％のデューティサイクルを有する非対称１次サイクルが得られる請求項９に記載の装置。
【請求項１２】
前記少なくとも４つの１次タイミングインターバルの少なくとも２つは、周波数で異なる２次サイクルを含む請求項９に記載の装置。
【請求項１３】
前記２次サイクルは、関係
２ｔA≦ｔB≦２０ｔA
を有する、まさに２つの前記２次タイミングインターバルｔ1およびｔ2を含み、ｔAは前記２次タイミングインターバルのいずれかであってもよく、一方、ｔBは前記２次タイミングインターバルの他方であり、それによって、６６％〜９５％のデューティサイクルを有する非対称２次サイクルが得られる請求項９に記載の装置。
【請求項１４】
前記２次サイクルは、２を超える前記２次タイミングインターバルｔ1、ｔ2、ｔ3などを含む請求項９に記載の装置。
【請求項１５】
前記電気信号は、事前に選択された期間後に、自動的にターンオフされる請求項９に記載の装置。
【請求項１６】
分割されている前記１次インターバル内の前記２次インターバルのそれぞれ、または、前記１次インターバルが分割されていない場合には前記１次インターバルの全体について、前記複数の一定電圧または電流レベルＬ1、Ｌ2などの間で一つを選択し、それによって、前記電気信号を形成するための手段、および、
前記電気信号を印加する伝導性材料を含む請求項９に記載の装置。
【請求項１７】
前記電気信号から好ましくない成分を除去するフィルタをさらに備える請求項１６に記載の装置。
【請求項１８】
前記第１または第２の周波数発生器の少なくとも一方は、マルチステップシーケンサを含む請求項１６に記載の装置。
【請求項１９】
前記電気信号は周期的であり、（ｔx，ｔy，…）≦２（ｔa＋ｔb＋…）であり、（Ｔ1，Ｔ2，…）、（Ｔ1＋Ｔ2＋…）、ＴA、（ｔ1，ｔ2，…）、（ｔa＋ｔb＋…）および（ｔx，ｔy，…）は明細書に規定される請求項１６に記載の装置。
【請求項２０】
Ｌ1は実質的にゼロであり、
Ｌ2およびＬ3は実質的に同じ大きさであるが、反対の極性を有し、
Ｔ1は一定のＬ1で経過し、
Ｔ2、Ｔ3、およびＴ4は全て、２次タイミングサイクルを含む
ように、４つの前記１次タイミングインターバルＴ1、Ｔ2、Ｔ3、およびＴ4、複数の前記２次タイミングインターバルｔ1、ｔ2など、ならびに、３つの前記電圧または電流レベルＬ1、Ｌ2、およびＬ3を生成するように構成される請求項１９に記載の装置。
【請求項２１】
Ｔ1は、前記１次インターバルＴ1、Ｔ2、Ｔ3、およびＴ4のうちで最も短く、
Ｔ3は、Ｔ2またはＴ4のいずれかより長く、
Ｔ2およびＴ4内の前記２次タイミングサイクルによって生成される前記Ａ．Ｃ．振幅は、Ｔ3内の前記２次タイミングサイクルによって生成される前記Ａ．Ｃ．振幅より減少する請求項２０に記載の装置。
【請求項２２】
前記１次タイミングサイクルの繰り返しレートは、所望の適用に合うように、１Ｈｚ〜５００Ｈｚの範囲のある部分にわたって、連続的に、または、段階的に変わることができ、
Ｔ2、Ｔ3、およびＴ4内の前記２次タイミングサイクルの前記繰り返しレートは、実質的に同じであり、１，０００Ｈｚ〜２００ｋＨｚの範囲にある請求項２１に記載の装置。
【請求項２３】
Ｔ3中の信号より小さい、Ｔ2およびＴ4中の信号の前記振幅減少は、Ｔ2中またはＴ4中のいずれでも使用されない、少なくとも１つの前記電圧または電流レベルをＴ3中に選択することによって、全体として、または、部分的に達成される請求項２１に記載の装置。
【請求項２４】
Ｔ3中の信号より小さい、Ｔ2およびＴ4中の信号の前記振幅減少は、Ｔ2中またはＴ4中のいずれかで使用される２次タイミングサイクルと異なる、前記２次タイミングサイクルをＴ3中に使用することによって、全体として、または、部分的に達成される請求項２１に記載の装置。
【請求項２５】
Ｌ1は実質的にゼロであり、
残りの前記電圧および電流レベルＬ2、Ｌ3などは、ＬX、ＬYなどの少なくとも一対を形成し、前記対それぞれの要素は、大きさが同じであるが、極性が反対であり、
Ｔ1は一定のＬ1で経過し、
全ての他の前記１次タイミングインターバルＴ2、Ｔ3などは、全てが実質的に同じ繰り返しレートを有する２次サイクルを含み、
最大信号振幅が、１次タイミングインターバルＴN中に存在し、Ｎは、好ましくは、約Ｐ／２＋１に等しく、
残りの前記１次インターバル中に、前記信号振幅は、前記１次タイミングサイクルの周りで前方向か、後ろ方向のいずれかに向かうように、Ｔ1からＴNへ徐々に増加し、それによって、正弦状包絡線を近似し、該正弦状包絡線の最大をＴN中に有し、最小をＴ1中に有する
ように、複数Ｐの少なくとも４つの前記１次タイミングインターバルＴ1、Ｔ2、Ｔ3など、偶数Ｓの前記２次タイミングインターバルｔ1、ｔ2、ｔ3など、ならびに、奇数Ｑの前記電圧または電流レベルＬ1、Ｌ2、およびＬ3などを生成するように構成される請求項１９に記載の装置。
【請求項２６】
Ｌ1は実質的にゼロであり、
Ｌ2およびＬ3は実質的に同じ大きさであるが、反対の極性を有し、
１次インターバルは、３つにグループ分けされ、該３つにおいて、
Ｔ1、Ｔ4、Ｔ7などのような、それぞれの前記グループ内の第１の前記１次タイミングインターバルは、一定のＬ1で経過し、
Ｔ2、Ｔ5、Ｔ8などのような、それぞれの前記グループ内の第２の前記１次タイミングインターバルは、ｔ1中のＬ2とｔ2中のＬ3の間で交番する前記２次タイミングサイクルを含み、それによって、それぞれの前記偶数番号の１次インターバル内で、方形波または矩形波信号を形成し、
Ｔ3、Ｔ6、Ｔ9などのような、それぞれの前記グループ内の第３の前記１次タイミングインターバルは、Ｌ1と異なる、一定の電圧または電流レベルで経過し、それによって、等化パルスを形成する
ように、任意の数の前記１次タイミングインターバルＴ1、Ｔ2、Ｔ3など、２つの前記２次タイミングインターバルｔ1およびｔ2、ならびに、３つの前記電圧または電流レベルＬ1、Ｌ2、およびＬ3を生成するように構成される請求項１９に記載の装置。
【請求項２７】
前記１次タイミングサイクルを通してＤ．Ｃ．振幅の総和はゼロであるため、結果として得られる前記電気信号は電荷平衡している請求項２６に記載の装置。
【請求項２８】
それぞれの前記グループ内の前記第２の１次タイミングインターバルは非ゼロＤ．Ｃ．振幅を有する矩形波を有し、
それぞれの前記グループ内の前記第３の１次タイミングインターバルは反対のＤ．Ｃ．振幅を有し、前記電気信号が実質的に電荷平衡するようにさせる請求項２７に記載の装置。
【請求項２９】
前記３つのグループの少なくとも１のグループ内の前記第２の１次タイミングインターバルおよび前記第３の１次タイミングインターバルは、前記３つのグループの少なくとも１つの他のグループ内の前記第２の１次タイミングインターバルおよび前記第３の１次タイミングインターバルと反対の極性を有する請求項２６に記載の装置。
【請求項３０】
前記３つのグループの少なくとも１つのグループ内にあり、かつ、等化パルスを形成する、前記第３の１次タイミングインターバルの少なくとも１つの１次タイミングインターバルは、短か過ぎて、電荷平衡を完全には達成できず、
その代わり、前記３つのグループ内で、前記第２の１次タイミングインターバルの少なくとも１つの１次タイミングインターバルと、前記第２の１次タイミングインターバルの少なくとも１つの他の１次タイミングインターバルの間における極性反転によって、全体として、または、部分的に、電荷平衡が達成される請求項２９に記載の装置。
【請求項３１】
前記３つのグループの少なくとも１つのグループ内の、前記第２の１次タイミングインターバルの少なくとも１つの１次タイミングインターバルは、２次タイミングサイクルを含み、該２次タイミングサイクルの繰り返しレートは、前記第２の１次タイミングインターバルの少なくとも１つの他の１次タイミングインターバル内の繰り返しレートと異なる請求項２６に記載の装置。
【請求項３２】
スイッチをさらに備え、それによって、前記１次タイミングインターバル、前記２次タイミングインターバル、前記電圧または電流レベル、あるいは、これらの任意の組み合わせを、既に述べた複数の電気信号の任意の電気信号を要求に応じて生成するために、変更することができる請求項２３に記載の装置。
【請求項３３】
前記スイッチは、少なくとも
請求項２５に記載される電気信号、または、
請求項２８に記載される電気信号の間の少なくとも１つの選択を可能にする、請求項３２に記載の装置。
【請求項３４】
前記電気信号は非周期的であり、（ｔx，ｔy，…）≦２（ｔa＋ｔb＋…）であり、Ｔ1
は、任意の長さであってもよく、（Ｔ2，Ｔ3，…）、（Ｔ2＋Ｔ3＋…）、ＴA、（ｔ1，ｔ2，…）、（ｔa＋ｔb＋…）および（ｔx，ｔy，…）は明細書に規定される請求項１６に記載の装置。
【請求項３５】
（ａ）Ｌ1は実質的にゼロであり、
（ｂ）残りの前記電圧および電流レベルＬ2、Ｌ3などは、ＬX、ＬYなどの少なくとも一対を形成し、それぞれの前記対の要素は、大きさが同じであるが、極性が反対であり、
（ｃ）Ｔ1は一定のＬ1で経過し、
（ｄ）全ての他の前記１次タイミングインターバルＴ2、Ｔ3などは、全てが実質的に同じ繰り返しレートを有する２次サイクルを含み、
（ｅ）最大信号振幅がＴ2中に存在し、
（ｆ）残りの前記１次インターバル中に、前記信号振幅は、前記１次タイミングサイクルを通して時間と共に徐々に減少し、それによって、指数関数的に減衰する包絡線を近似し、該指数関数的に減衰する包絡線の最大をＴ2中に有し、最小をＴP中に有する
ように、任意の数Ｐの前記１次タイミングインターバルＴ1、Ｔ2、Ｔ3など、偶数Ｓの前記２次タイミングインターバルｔ1、ｔ2、ｔ3など、ならびに、奇数Ｑの前記電圧または電流レベルＬ1、Ｌ2、およびＬ3などを生成するように構成される請求項３４に記載の装置。
【請求項３６】
前記１次タイミングサイクルのそれぞれの反復は、外部信号によって始動される請求項３５に記載の装置。
【請求項３７】
さらに伝導性材料を含み、前記電気信号は、該伝導性材料によって単離組織または細胞培養物に印加されて、細胞代謝、増殖、分化、または所望の物質の産出もしくは所望でない物質の減少を高める請求項１６に記載の装置。
【請求項３８】
前記伝導性材料は、導電性材料の複数の平坦部材から成る請求項３７に記載の装置。
【請求項３９】
前記伝導性材料は、少なくとも１つの導電性材料の部材を含む請求項３７に記載の装置。
【請求項４０】
前記伝導性材料は、組織内に、挿入されるか、または、埋め込まれる、少なくとも１つの導電性材料の部材を含む請求項３７に記載の装置。
【請求項４１】
前記伝導性材料は、導電性液体内に、全体的または部分的に浸漬される、少なくとも１つの導電性材料の部材を含む請求項３７に記載の装置。
【請求項４２】
前記伝導性材料は、組織あるいはその一部を浸漬させることができる、導電性液体の部材を含む請求項３７に記載の装置。
【請求項４３】
さらに伝導性材料を含み、前記電気信号は、該伝導性材料によって、組織または細胞培養物、食物、飲料、または他の材料に印加されて、存在する可能性のある選択された病原性生物を失活させる請求項１６に記載の装置。
【請求項４４】
生医学的適用で使用するための電気信号を生成する方法であって、該方法は、
２００マイクロ秒〜１２０秒の範囲の期間をそれぞれ有する繰り返し１次サイクルを連続して形成する、５０マイクロ秒〜３０秒の範囲の期間をそれぞれ有する、少なくとも４つの比較的長い１次タイミングインターバルＴ1、Ｔ2、Ｔ3、Ｔ4、および、もしあればその他を生成すること、
少なくとも２つの比較的短い２次タイミングインターバルｔ1、ｔ2などを生成すること
であって、２次タイミングインターバルのそれぞれは２．５５マイクロ秒〜５０ミリ秒の範囲の期間をそれぞれ有し、前記１次タイミングインターバルのうちの少なくとも１つが分割されてなり、前記２次タイミングインターバルは、その長さを通して５マイクロ秒〜５０ミリ秒の範囲の期間をそれぞれ有する繰り返し２次サイクルを連続して形成し、一方、前記１次タイミングインターバルのうちの少なくとも１つの他の１次タイミングインターバルは分割されない、少なくとも２つの比較的短い２次タイミングインターバルｔ1、ｔ2などを生成すること、
複数の実質的に一定の電圧または電流レベルＬ1、Ｌ2などを生成すること、
分割された前記１次インターバル内の前記２次インターバルのそれぞれの間、または、分割されない場合に前記１次インターバルの全体の間で前記電圧または電流レベルの１つを選択することであって、前記レベルは、前記１次サイクルの過程を通して連続して選択され、それによって、前記電気信号が形成される、選択すること、および、
前記１次サイクルの任意の１つの繰り返しの過程を通して実質的な電荷平衡を確立するための、１つまたは複数の等化パルスとして、分割されていない前記１次インターバルの１つまたは複数をさらに選択すること、
ヒト体、動物体、細胞培養物、組織培養物、食品、液体および薬学的材料の１つ以上に前記電気信号を印加することを含み、
前記１次および２次タイミングインターバルの選択およびそれぞれのタイミングインターバル内での前記電圧または電流レベルの選択によって、前記電気信号が、時間と共に変わる振幅を有する、特定の明確な数学的関数をエミュレートし、
前記生医学的適用は、苦痛の解放、組織成長の刺激、組織治癒の促進、骨成長の刺激、骨治癒の促進、骨治癒の改善、骨密度の改善、組織炎症の減少、組織損傷の修復、組織膨脹の減少、組織移植片生存の促進、血流の改変、生化学的生産の強化、組織の生化学的生産の強化、器官の再活性化、関節修復の強化、関節置換の強化、血液貯蔵の強化、および神経学的症状の改善を含む、方法。
【請求項４５】
望ましくない成分を除去するために前記電気シグナルをフィルタリングすることをさらに含む、請求項４４に記載の方法。
【請求項４６】
前記電気信号を印加することは、伝導性物質によって、組織、細胞培養物、食品、飲料、または他の材料に対して印加し、存在する可能性のある選択された病原性生物を失活させることを含む、請求項４４に記載の方法。
【請求項４７】
前記方法が、外傷、外科手術、神経過敏、筋痙攣、捕捉された神経、圧迫された神経、糖尿病性神経障害、末梢神経障害、自立神経障害、末梢血管疾患、足底筋膜炎、腰痛、膝蓋大腿疼痛の１つ以上に起因する、苦痛を解放するため、感覚を改善するため、または神経機能を改善するために使用され得る、請求項４４に記載の方法。
【請求項４８】
発生した電気信号が、ゼロインターバル（８０）、続いて、複数の高周波数インターバル（８２ａ）、（８２ｂ）、（８２ｃ）、および少なくとも１つの分割されないインターバル（８４）を含む少なくとも５つの１次タイミングインターバルを含む波形を含む、請求項４４に記載の方法。
【請求項４９】
前記１次タイミングインターバルを生成させることは、マルチステップシーケンサを操作して、前記１次タイミングインターバルＴ1、Ｔ2などを生成するのを支援し、前記繰り返し１次サイクルを形成することを含む、請求項４４に記載の方法。
【請求項５０】
前記マルチステップシーケンサの出力は、前記１次タイミングインターバルの相対長を決定する請求項４９に記載の方法。
【請求項５１】
前記２次タイミングインターバルを生成させることは、マルチステップシーケンサを操作して、前記２次タイミングインターバルｔ1、ｔ2などを生成するのを支援し、前記繰り返し２次サイクルを形成することを含む、請求項４４に記載の方法。
【請求項５２】
前記マルチステップシーケンサの出力は、前記２次タイミングインターバルの相対長を決定する請求項５１に記載の方法。
【請求項５３】
前記電気信号は周期的であり、（ｔx，ｔy，…）≦２（ｔa＋ｔb＋…）であり、（Ｔ1，Ｔ2，…）、（Ｔ1＋Ｔ2＋…）、ＴA、（ｔ1，ｔ2，…）、（ｔa＋ｔb＋…）および（ｔx，ｔy，…）は明細書に規定される請求項４４に記載の方法。
【請求項５４】
前記１次および２次タイミングインターバルならびに前記電圧または電流レベルを生成することは、
Ｌ1は実質的にゼロであり、
残りの前記電圧および電流レベルＬ2、Ｌ3などは、ＬX、ＬYなどの少なくとも一対を形成し、それぞれの前記対の要素は、大きさが同じであるが、極性が反対であり、
Ｔ1は一定のＬ1で経過し、
全ての他の前記１次タイミングインターバルＴ2、Ｔ3などは、全てが実質的に同じ繰り返しレートを有する２次サイクルを含み、
最大信号振幅がＴ2中に存在し、
残りの前記１次インターバル中に、前記信号振幅は、前記１次タイミングサイクルを通して時間と共に徐々に減少し、それによって、指数関数的に減衰する包絡線を近似し、該指数関数的に減衰する包絡線の最大をＴ2中に有し、最小をＴP中に有する
ように、任意の数Ｐの前記１次タイミングインターバルＴ1、Ｔ2、Ｔ3など、偶数Ｓの前記２次タイミングインターバルｔ1、ｔ2、ｔ3など、ならびに、奇数Ｑの前記電圧または電流レベルＬ1、Ｌ2、およびＬ3などを生成することを含む、請求項５３に記載の方法。
【請求項５５】
前記１次タイミングサイクルのそれぞれの反復は、外部信号によって始動される請求項５４に記載の方法。
【請求項５６】
前記電気信号は、伝導性材料によって人もしくは動物の体、単離組織または細胞培養物に印加されて、苦痛を軽減し、治癒を促進し、あるいは、細胞代謝、増殖、分化、または所望の物質の産出もしくは所望でない物質の減少を高める請求項４４に記載の方法。
【請求項５７】
前記伝導性材料は、導電性材料の複数の平坦部材から成る請求項５６に記載の方法。
【請求項５８】
前記伝導性材料は、皮膚以外の組織表面に適用される、少なくとも１つの導電性材料の部材を含む請求項５６に記載の方法。
【請求項５９】
前記伝導性材料は、組織内に、挿入されるか、または、埋め込まれる、少なくとも１つの導電性材料の部材を含む請求項５６に記載の方法。
【請求項６０】
前記伝導性材料は、導電性液体内に、全体的または部分的に浸漬される、少なくとも１つの導電性材料の部材を含む請求項５６に記載の方法。
【請求項６１】
前記伝導性材料は、組織あるいはその一部を浸漬させることができる、導電性液体の部材を含む請求項５６に記載の方法。
【請求項６２】
任意所与の１次タイミングインターバル内の前記電気信号は、Ａ．Ｃ．振幅およびＤ．Ｃ．振幅の両方を有し、そのいずれかはゼロであってもよく、
前記１次タイミングインターバル内の前記Ａ．Ｃ．振幅は、ゼロでない場合、前記２次タイミングサイクルの存在から生じる請求項４４に記載の方法。
【請求項６３】
前記Ａ．Ｃ．成分は、前記１次タイミングインターバルの少なくとも１つの１次タイミングインターバルにおいてゼロの振幅を有し、
前記Ａ．Ｃ．成分は、前記１次タイミングインターバルの少なくとも１つの他の１次タイミングインターバルにおいて非ゼロ振幅を有する請求項６２に記載の方法。
【請求項６４】
第１の前記１次タイミングインターバルＴ1は、該１次タイミングインターバルＴ1の長さを通して単一電圧または電流レベルＬ1が選択されており、ゼロＡ．Ｃ．振幅をもたらし、
第２の前記１次タイミングインターバルＴ2は、前記２次インターバルｔ1、ｔ2などに分割され、１次インターバルＴ2の長さを通して前記２次サイクルを形成し、前記２次サイクルは、前記１次インターバル内で複数の完全な繰り返しを行い、レベルＬ1、Ｌ2などの１つは、２次インターバルｔ1、ｔ2などのそれぞれについて選択され、非ゼロＡ．Ｃ．振幅をもたらし、
第３の前記１次タイミングインターバルＴ3、第４の前記１次タイミングインターバルＴ4、およびもしあれば、それぞれの前記１次タイミングインターバルＴ5、Ｔ6などは、前記１次タイミングインターバルＴ1のように単一で一定の電圧または電流レベルを含んでもよいし、前記１次タイミングインターバルＴ2のように再分割されてもよく、
前記２次インターバルまたは未分割の１次インターバルはそれぞれ、前記１次サイクル内で、Ｌ1、Ｌ2などの中からの、独自に割り当てられた電圧または電流レベルを有し、前記電圧または電流レベルは、前記インターバルが再び起こる時に常に選択され、したがって、
前記電気信号は、前記１次サイクルの任意の２つの繰り返しの間で実質的に同じである請求項６３に記載の方法。
【請求項６５】
前記実質的に一定の電圧または電流レベルＬ1、Ｌ2などは、＋１０．０〜−１０．０ミリアンペアの範囲にある一定電流レベルの形態をとる請求項６４に記載の方法。
【請求項６６】
前記１次サイクルは、関係
２ＴA≦ＴB≦２０ＴA
を有する、２つの最も長い１次タイミングインターバルＴAおよびＴBを含み、ＴBは最も長い１次インターバルであり、ＴAは２番目に長く、それによって、６６％〜９５％のデューティサイクルを有する非対称１次サイクルが得られる請求項６５に記載の方法。
【請求項６７】
前記少なくとも４つの１次タイミングインターバルの少なくとも２つは、周波数で異なる２次サイクルを含む請求項６５に記載の方法。
【請求項６８】
前記２次サイクルは、関係
２ｔA≦ｔB≦２０ｔA
を有する、まさに２つの前記２次タイミングインターバルｔ1およびｔ2を含み、ｔAは前記２次タイミングインターバルのいずれかであってもよく、一方、ｔBは前記２次タイミングインターバルの他方であり、それによって、６６％〜９５％のデューティサイクルを有する非対称２次サイクルが得られる請求項６４に記載の方法。
【請求項６９】
前記電気信号を、事前に選択された期間後に、自動的にターンオフすることを更に含む、請求項６４に記載の方法。
【請求項７０】
前記電気信号は周期的であり、（ｔx，ｔy，…）≦２（ｔa＋ｔb＋…）であり、（Ｔ1
，Ｔ2，…）、（Ｔ1＋Ｔ2＋…）、ＴA、（ｔ1，ｔ2，…）、（ｔa＋ｔb＋…）および（ｔx，ｔy，…）は明細書に規定される請求項４４に記載の方法。
【請求項７１】
前記１次および２次タイミングインターバルならびに電圧または電流レベルを生成することは、
（ａ）Ｌ1は実質的にゼロであり、
（ｂ）Ｌ2およびＬ3は実質的に同じ大きさであるが、反対の極性を有し、
（ｃ）Ｔ1は一定のＬ1で経過し、
（ｄ）Ｔ2、Ｔ3、およびＴ4は全て、２次タイミングサイクルを含む
ように、４つの前記１次タイミングインターバルＴ1、Ｔ2、Ｔ3、およびＴ4、複数の前記２次タイミングインターバルｔ1、ｔ2など、ならびに、３つの前記電圧または電流レベルＬ1、Ｌ2、およびＬ3を生成することを含む、請求項７０に記載の方法。
【請求項７２】
Ｔ1は、前記１次インターバルＴ1、Ｔ2、Ｔ3、およびＴ4のうちで最も短く、
Ｔ3は、Ｔ2またはＴ4のいずれかより長く、
Ｔ2およびＴ4内の前記２次タイミングサイクルによって生成される前記Ａ．Ｃ．振幅は、Ｔ3内の前記２次タイミングサイクルによって生成される前記Ａ．Ｃ．振幅より減少する請求項７１に記載の方法。
【請求項７３】
前記１次タイミングサイクルの繰り返しレートは、所望の適用に合うように、１Ｈｚ〜５００Ｈｚの範囲のある部分にわたって、連続的に、または、段階的に変わることができ、
Ｔ2、Ｔ3、およびＴ4内の前記２次タイミングサイクルの前記繰り返しレートは、実質的に同じであり、約１，０００Ｈｚ〜２００ｋＨｚの範囲にある請求項７２に記載の方法。
【請求項７４】
Ｔ3中の信号より小さい、Ｔ2およびＴ4中の信号の前記振幅減少は、Ｔ2中またはＴ4中のいずれでも使用されない、少なくとも１つの前記電圧または電流レベルをＴ3中に選択することによって、全体として、または、部分的に達成される請求項７２に記載の方法。
【請求項７５】
Ｔ3中の信号より小さい、Ｔ2およびＴ4中の信号の前記振幅減少は、Ｔ2中またはＴ4中のいずれかで使用される２次タイミングサイクルと異なる、前記２次タイミングサイクルをＴ3中に使用することによって、全体として、または、部分的に達成される請求項７２に記載の方法。
【請求項７６】
前記１次および２次タイミングインターバルならびに電圧または電流レベルを生成することは、
Ｌ1は実質的にゼロであり、
残りの前記電圧および電流レベルＬ2、Ｌ3などは、ＬX、ＬYなどの少なくとも一対を形成し、前記対それぞれの要素は、大きさが同じであるが、極性が反対であり、
Ｔ1は一定のＬ1で経過し、
全ての他の前記１次タイミングインターバルＴ2、Ｔ3などは、全てが実質的に同じ繰り返しレートを有する２次サイクルを含み、
最大信号振幅が、１次タイミングインターバルＴN中に存在し、Ｎは、好ましくは、約Ｐ／２＋１に等しく、
残りの前記１次インターバル中に、前記信号振幅は、前記１次タイミングサイクルの周りで前方向か、後ろ方向のいずれかに向かうように、Ｔ1からＴNへ徐々に増加し、それによって、正弦状包絡線を近似し、該正弦状包絡線の最大をＴN中に有し、最小をＴ1中に有する
ように、複数Ｐの少なくとも４つの前記１次タイミングインターバルＴ1、Ｔ2、Ｔ3など
、偶数Ｓの前記２次タイミングインターバルｔ1、ｔ2、ｔ3など、ならびに、奇数Ｑの前記電圧または電流レベルＬ1、Ｌ2、およびＬ3などを生成することを含む請求項７０に記載の方法。
【請求項７７】
前記１次および２次タイミングインターバルならびに電圧または電流レベルを生成することは、
Ｌ1は実質的にゼロであり、
Ｌ2およびＬ3は実質的に同じ大きさであるが、反対の極性を有し、
１次インターバルは、３つにグループ分けされ、該３つにおいて、
（１）Ｔ1、Ｔ4、Ｔ7などのような、それぞれの前記グループ内の第１の前記１次タイミングインターバルは、一定のＬ1で経過し、
（２）Ｔ2、Ｔ5、Ｔ8などのような、それぞれの前記グループ内の第２の前記１次タイミングインターバルは、ｔ1中のＬ2とｔ2中のＬ3の間で交番する前記２次タイミングサイクルを含み、それによって、それぞれの前記偶数番号の１次インターバル内で、方形波または矩形波信号を形成し、
（３）Ｔ3、Ｔ6、Ｔ9などのような、それぞれの前記グループ内の第３の前記１次タイミングインターバルは、Ｌ1と異なる、一定の電圧または電流レベルで経過し、それによって、等化パルスを形成する
ように、任意の数の前記１次タイミングインターバルＴ1、Ｔ2、Ｔ3など、２つの前記２次タイミングインターバルｔ1およびｔ2、ならびに、３つの前記電圧または電流レベルＬ1、Ｌ2、およびＬ3を生成することを含む、請求項７０に記載の方法。
【請求項７８】
前記１次タイミングサイクルを通してＤ．Ｃ．振幅の総和はゼロであるため、結果として得られる前記電気信号は電荷平衡している請求項７７に記載の方法。
【請求項７９】
それぞれの前記グループ内の前記第２の１次タイミングインターバルは非ゼロＤ．Ｃ．振幅を有する矩形波を有し、
それぞれの前記グループ内の前記第３の１次タイミングインターバルは反対のＤ．Ｃ．振幅を有し、前記電気信号が実質的に電荷平衡するようにさせる請求項７８に記載の方法。
【請求項８０】
前記３つのグループの少なくとも１のグループ内の前記第２の１次タイミングインターバルおよび前記第３の１次タイミングインターバルは、前記３つのグループの少なくとも１つの他のグループ内の前記第２の１次タイミングインターバルおよび前記第３の１次タイミングインターバルと反対の極性を有する請求項７７に記載の方法。
【請求項８１】
前記３つのグループの少なくとも１つのグループ内にあり、かつ、等化パルスを形成する、前記第３の１次タイミングインターバルの少なくとも１つの１次タイミングインターバルは、短か過ぎて、電荷平衡を完全には達成できず、
その代わり、前記３つのグループ内で、前記第２の１次タイミングインターバルの少なくとも１つの１次タイミングインターバルと、前記第２の１次タイミングインターバルの少なくとも１つの他の１次タイミングインターバルの間における極性反転によって、全体として、または、部分的に、電荷平衡が達成される請求項７７に記載の方法。
【請求項８２】
前記３つのグループの少なくとも１つのグループ内の、前記第２の１次タイミングインターバルの少なくとも１つの１次タイミングインターバルは、２次タイミングサイクルを含み、該２次タイミングサイクルの繰り返しレートは、前記第２の１次タイミングインターバルの少なくとも１つの他の１次タイミングインターバル内の繰り返しレートと異なる請求項７７に記載の方法。
【請求項８３】
１次タイミングインターバル、２次タイミングインターバル、電圧または電流レベル、あるいは、これらの任意の組み合わせを含む複数のセットの１つを選択することを更に含み、既に述べた複数の電気信号の任意の電気信号を要求に応じて生成する請求項４４に記載の方法。
【請求項８４】
前記選択することは、
請求項７７に記載される電気信号、および、
請求項７９に記載される電気信号の間の少なくとも１つを含む請求項８３に記載の方法。
【請求項８５】
生医学的適用で使用するための電気信号を生成する方法であって、該方法は、
２００マイクロ秒〜１２０秒の範囲の期間をそれぞれ有する繰り返し１次サイクルを連続して形成する、５０マイクロ秒〜３０秒の範囲の期間をそれぞれ有する、少なくとも４つの比較的長い１次タイミングインターバルＴ1、Ｔ2、Ｔ3、Ｔ4、および、もしあればその他を生成すること、
少なくとも２つの比較的短い２次タイミングインターバルｔ1、ｔ2などを生成することであって、２次タイミングインターバルのそれぞれは、２．５５マイクロ秒〜５０ミリ秒の範囲の期間をそれぞれ有し、前記１次タイミングインターバルのうちの少なくとも１つが分割されてなり、前記２次タイミングインターバルは、その長さを通して５マイクロ秒〜５０ミリ秒の範囲の期間をそれぞれ有する繰り返し２次サイクルを連続して形成し、一方、前記１次タイミングインターバルのうちの少なくとも１つの他の１次タイミングインターバルは分割されない、少なくとも２つの比較的短い２次タイミングインターバルｔ1、ｔ2などを生成すること、
複数の実質的に一定の電圧または電流レベルＬ1、Ｌ2などを生成すること、
分割された前記１次インターバル内の前記２次インターバルのそれぞれの間、または、分割されない場合に前記１次インターバルの全体の間で前記電圧または電流レベルの１つを選択することであって、前記レベルは、前記１次サイクルの過程を通して連続して選択され、それによって、前記電気信号が形成される、選択すること、および、
ヒト体、動物体、細胞培養物、組織培養物、食品、液体および薬学的材料の１つ以上に前記電気信号を印加することを含み、
前記１次および２次タイミングインターバルの選択およびそれぞれのタイミングインターバル内での前記電圧または電流レベルの選択によって、前記電気信号が、時間と共に変わる振幅を有する、特定の明確な数学的関数をエミュレートし、
前記生医学的適用は、苦痛の解放、組織成長の刺激、組織治癒の促進、骨成長の刺激、骨治癒の促進、骨治癒の改善、骨密度の改善、組織炎症の減少、組織損傷の修復、組織膨脹の減少、組織移植片生存の促進、血流の改変、生化学的生産の強化、組織の生化学的生産の強化、器官の再活性化、関節修復の強化、関節置換の強化、血液貯蔵の強化、および神経学的症状の改善を含む、方法。
【請求項８６】
前記生医学的適用が、回旋腱板損傷の処置、変形性関節症の処置、手根管症候群の処置をさらに含む、請求項４４または８５に記載の方法。
【請求項８７】
生医学的適用で使用するための電気信号を生成するように構築および配列された発生アセンブリを備える装置であって、前記装置は、
（ａ）５０マイクロ秒〜３０秒の範囲の期間をそれぞれ有する少なくとも４つの１次タイミングインターバルを有する、２００マイクロ秒〜１２０秒の範囲の期間を有する繰り返し１次サイクル、
（ｂ）前記１次タイミングインターバルの少なくとも１つを、２．５５マイクロ秒〜５０ミリ秒の範囲の期間をそれぞれ有する少なくとも２つの２次タイミングインターバルに分割することによって形成された繰り返し２次サイクル、
において整列されるパルスを含み、
前記２次サイクルは５マイクロ秒〜５０ミリ秒の範囲の期間をそれぞれ有し、
前記２次インターバルのそれぞれは、実質的に一定の電圧または電流レベルを有する分割された前記１次タイミングインターバル内にあるか、または、実質的に一定の電圧または電流レベルを有する分割されていない１次インターバルの全体の間に存在し、未分割の１次タイミングインターバルの少なくとも１つは、１次サイクルの任意の１つの繰り返しの過程を通して電気信号を実質的に電荷平衡するための平衡化パルスであり、
前記１次および２次タイミングインターバルの選択およびそれぞれのタイミングインターバル内での前記電圧または電流レベルの選択によって、前記電気信号が、時間と共に変わる振幅を有する、特定の明確な数学的関数をエミュレートし、
前記生医学的適用は、苦痛の解放、組織成長の刺激、組織治癒の促進、骨成長の刺激、骨治癒の促進、骨治癒の改善、骨密度の改善、組織炎症の減少、組織損傷の修復、組織膨脹の減少、組織移植片生存の促進、血流の改変、生化学的生産の強化、組織の生化学的生産の強化、器官の再活性化、関節修復の強化、関節置換の強化、血液貯蔵の強化、および神経学的症状の改善を含む、装置。
【請求項８８】
生医学的適用で使用するための電気信号を実質的に電荷平衡化する方法であって、前記方法は、
５０マイクロ秒〜３０秒の範囲の期間をそれぞれ有する少なくとも４つの１次タイミングインターバルを有する、２００マイクロ秒〜１２０秒の範囲の期間を有する繰り返し１次サイクルを生成すること、
前記１次タイミングインターバルの少なくとも１つを、２．５５マイクロ秒〜５０ミリ秒の範囲の期間をそれぞれ有する少なくとも２つの２次タイミングインターバルに分割することによって繰り返し２次サイクルを形成することであって、前記２次サイクルは５マイクロ秒〜５０ミリ秒の範囲の期間をそれぞれ有する、形成すること、
分割された前記１次タイミングインターバル内にある前記２次インターバルのそれぞれの間か、または、分割されていない１次インターバルの全体の間に、実質的に一定の電圧または電流レベルを選択すること、
平衡化パルスとして分割されていない１次タイミングインターバルの少なくとも１つを選択することによって、１次サイクルの任意の１つの繰り返しの過程を通して実質的に電荷平衡することを包含し、
前記１次および２次タイミングインターバルの選択およびそれぞれのタイミングインターバル内での前記電圧または電流レベルの選択によって、前記電気信号が、時間と共に変わる振幅を有する、特定の明確な数学的関数をエミュレートする、方法。
【請求項８９】
生医学的適用で使用するための電気信号を実質的に電荷平衡する装置であって、前記装置は、
５０マイクロ秒〜３０秒の範囲の期間をそれぞれ有する少なくとも４つの１次タイミングインターバルを有する、２００マイクロ秒〜１２０秒の範囲の期間を有する繰り返し１次サイクルを発生させる手段、
前記１次タイミングインターバルの少なくとも１つを、２．５５マイクロ秒〜５０ミリ秒の範囲の期間をそれぞれ有する少なくとも２つの２次タイミングインターバルに分割することによって形成された繰り返し２次サイクルを発生させる手段を備え、
前記２次サイクルは５マイクロ秒〜５０ミリ秒の範囲の期間をそれぞれ有し、
前記２次インターバルのそれぞれは、実質的に一定の電圧または電流レベルを有する分割された前記１次タイミングインターバル内にあるか、または、実質的に一定の電圧または電流レベルを有する未分割の１次インターバルの全体の間に存在し、未分割の１次タイミングインターバルの少なくとも１つは、１次サイクルの任意の１つの繰り返しの過程を通して電気信号を実質的に電荷平衡するための平衡化パルスであり、
前記１次および２次タイミングインターバルの選択およびそれぞれのタイミングインタ
ーバル内での前記電圧または電流レベルの選択によって、前記電気信号が、時間と共に変わる振幅を有する、特定の明確な数学的関数をエミュレートする、装置。
【請求項９０】
生医学的適用で使用するための電気信号を生成するようにプログラム化および接続されたプロセッサを備える装置であって、前記電気信号は、
５０マイクロ秒〜３０秒の範囲の期間をそれぞれ有する少なくとも４つの１次タイミングインターバルを有する、２００マイクロ秒〜１２０秒の範囲の期間を有する繰り返し１次サイクル、
前記１次タイミングインターバルの少なくとも１つを、２．５５マイクロ秒〜５０ミリ秒の範囲の期間をそれぞれ有する少なくとも２つの２次タイミングインターバルに分割することによって形成された繰り返し２次サイクル、
において整列されるパルスを含み、
前記２次サイクルは５マイクロ秒〜５０ミリ秒の範囲の期間をそれぞれ有し、
前記２次インターバルのそれぞれは、実質的に一定の電圧または電流レベルを有する分割された前記１次タイミングインターバル内にあるか、または、実質的に一定の電圧または電流レベルを有する分割されていない１次インターバルの全体の間に存在し、分割されていない１次タイミングインターバルの少なくとも１つは、１次サイクルの任意の１つの繰り返しの過程を通して電気信号を実質的に電荷平衡するための平衡化パルスであり、
前記生医学的適用は、苦痛の解放、組織成長の刺激、組織治癒の促進、骨成長の刺激、骨治癒の促進、骨治癒の改善、骨密度の改善、組織炎症の減少、組織損傷の修復、組織膨脹の減少、組織移植片生存の促進、血流の改変、生化学的生産の強化、組織の生化学的生産の強化、器官の再活性化、関節修復の強化、関節置換の強化、血液貯蔵の強化、および神経学的症状の改善を含む、装置。